(57)【要約】  本発明による歯列矯正用ストリップは、横フレームと横フレームの両端部から下方に延びて形成される一対の縦フレームとを備えるボディと、一対の縦フレームの下端部に一体に形成される一対のホルダーと、一対のホルダーに両端部が固定される研磨ブレードと、一対のホルダーのいずれか一つの側面に一体に形成されるハンドルと、を含み、ホルダーは研磨ブレードの両側面を包むように研磨ブレードの下端部を覆って上方に向かって折曲し、研磨ブレードはホルダーの間に圧着されることを特徴とする。【選択図】図３
2019500192.tif 000002
【特許請求の範囲】
【請求項１】
横フレームと前記横フレームの両端部から下方に延びて形成される一対の縦フレームとを備えるボディと、
前記一対の縦フレームの下端部に結合される一対のホルダーと、
前記一対のホルダーに両端部が固定される研磨ブレードと、
前記一対のホルダーのいずれか一つの側面に結合されるハンドルと、を含み、前記ホルダーは、前記研磨ブレードの両側面を包むように前記研磨ブレードの下端部を覆って上方に向かって折曲し、前記研磨ブレードは、前記ホルダーの間に圧着されることを特徴とする歯列矯正用ストリップ。
【請求項２】
横フレームと前記横フレームの両端部から下方に延びて形成される一対の縦フレームとを備えるボディと、
前記一対の縦フレームの下端部に一体に形成される一対のホルダーと、
前記一対のホルダーに両端部が固定される研磨ブレードと、
前記一対のホルダーのいずれか一つの側面に一体に形成されるハンドル、とを含み、
前記ホルダーは、前記研磨ブレードの両側面を包むように前記研磨ブレードの下端部を覆って上方に向かって折曲し、前記研磨ブレードは、前記ホルダーの間に圧着されることを特徴とする歯列矯正用ストリップ。
【請求項３】
前記ボディには、前記横フレームと前記縦フレームに沿って補強部が形成されることを特徴とする、請求項１または２に記載の歯列矯正用ストリップ。
【請求項４】
前記ボディは所定の厚みを有する板材であり、前記補強部は前記板材の長手方向に沿ってエンボス加工により形成されることを特徴とする、請求項３に記載の歯列矯正用ストリップ。
【請求項５】
前記ホルダーは、前記研磨ブレードの離脱を防止するための所定の深さの圧点部が形成されることを特徴とする、請求項１または２に記載の歯列矯正用ストリップ。
【請求項６】
前記研磨ブレードは、前記圧点部を挿入するための挿入溝または挿入孔が形成されることを特徴とする、請求項５に記載の歯列矯正用ストリップ。
【請求項７】
前記研磨ブレードは、複数の打孔が形成されることを特徴とする、請求項１または２に記載の歯列矯正用ストリップ。
【発明の詳細な説明】
【技術分野】
【０００１】
本発明は、歯列矯正用ストリップに関わり、さらに詳しくは、歯科施術の際に歯と歯の間のスペースを確保するために歯の所定の部位を研磨するブレードと、前記ブレードを固定するボディとを含む歯列矯正用ストリップに関する。
【背景技術】
【０００２】
一般的に、歯科で歯列矯正治療の際に、歯と歯の間のスペースを確保するために歯間面を削ることがある。
【０００３】
この時、主に矯正用ストリップを使用することになるが、従来の矯正用ストリップは歯牙研磨用ブレード、前記歯牙研磨用ブレードの両端部を固定するボディ、及び前記ボディと歯科用ハンドピースに連結できるハンドルから構成される。
【０００４】
このような従来の矯正用ストリップは、歯牙研磨用ブレードがボディにスポット溶接により結合しているため、歯列矯正治療中に前記歯牙研磨用ブレードがボディから分離されるという問題点があった。
【０００５】
特許文献１「歯科用研磨器」は、フレーム本体に結合された支持用ホルダーに研磨部材が溶接により結合される内容が開示されているが、この先行文献でも歯列矯正治療中に支持用ホルダーに溶接により結合された研磨部材が落ちてしまう恐れがあるという問題点をもっている。
【先行技術文献】
【特許文献】
【０００６】
【特許文献１】韓国登録実用新案第２０−０４４７４４３号
【発明の概要】
【発明が解決しようとする課題】
【０００７】
本発明による歯列矯正用ストリップは、前記のような従来の矯正用ストリップの問題点を解決するためのものであって、次のような課題の解決を目的とする。
【０００８】
第一に、歯列矯正治療中に歯牙研磨用ブレードがボディから分離しない構造を提供することにその目的がある。
【０００９】
第二に、歯牙研磨用ブレードを固定するボディの撓りを防止するための補強構造を提供することにその目的がある。
【課題を解決するための手段】
【００１０】
本発明による歯列矯正用ストリップは、横フレームと横フレームの両端部から下方に延びて形成される一対の縦フレームとを備えるボディを含むことが望ましい。
【００１１】
本発明による歯列矯正用ストリップは、一対の縦フレームの下端部に結合されるか、または一体に形成される一対のホルダーを含むことが望ましい。
【００１２】
本発明による歯列矯正用ストリップは、一対のホルダーに両端部が固定される研磨ブレードを含むことが望ましい。
【００１３】
本発明による歯列矯正用ストリップは、一対のホルダーのいずれか一つの側面に結合されるか、または一体に形成されるハンドルを含むことが望ましい。
【００１４】
本発明による歯列矯正用ストリップにおいて、ボディには横フレームと縦フレームに沿って補強部が形成されることが望ましい。
【００１５】
本発明による歯列矯正用ストリップにおいて、ボディは所定の厚みを有する板材であり、前記補強部は板材の長手方向中央に沿ってエンボス加工により形成されることが望ましい。
【００１６】
本発明による歯列矯正用ストリップにおいて、ホルダーは前記研磨ブレードの両側面を包むように前記研磨ブレードの下端部を覆って上方に向かって折曲し、前記研磨ブレードは前記ホルダーの間に圧着されることが望ましい。
【００１７】
本発明による歯列矯正用ストリップにおいて、ホルダーは研磨ブレードの離脱を防止するための所定の深さの圧点部が形成されることが望ましい。
【００１８】
本発明による歯列矯正用ストリップにおいて、研磨ブレードはホルダーに形成された圧点部を挿入するための挿入溝または挿入孔が形成されることが望ましい。
【００１９】
本発明による歯列矯正用ストリップにおいて、研磨ブレードは複数の打孔が形成されることが望ましい。
【００２０】
本発明による歯列矯正用ストリップにおいて、ハンドルはボディから延長した板材を丸めて形成することが望ましい。
【発明の効果】
【００２１】
本発明による歯列矯正用ストリップは、以下のような効果を期待できる。
【００２２】
第一に、ボディに結合されるホルダーに歯牙研磨用ブレードが固定される構造を提供することにより歯列矯正治療中に歯牙研磨用ブレードがボディから分離しない。
【００２３】
第二に、ボディに形成される補強構造を提供することにより歯列矯正治療中にボディの撓りを防止することができる。
【図面の簡単な説明】
【００２４】
【図１】本発明の一実施形態による歯列矯正用ストリップの斜視図である。
【図２】図１の分解図である。
【図３】本発明による研磨ブレードの他の実施形態を示した斜視図である。
【図４】本発明の一実施形態による歯列矯正用ストリップを製作するための板材を加工する過程を示した図である。
【図５】本発明の一実施形態による歯列矯正用ストリップを製作するための板材を加工する過程を示した図である。
【図６】本発明の一実施形態による歯列矯正用ストリップを製作するための板材を加工する過程を示した図である。
【発明を実施するための形態】
【００２５】
本発明の望ましい実施形態による歯列矯正用ストリップを添付の図面に基づいて詳述する。
【００２６】
図１乃至図３には本発明の一実施形態による歯列矯正用ストリップを示している。
【００２７】
本発明の望ましい実施形態による歯列矯正用ストリップは、
横フレーム１２と前記横フレーム１２の両端部から下方に延びて形成される一対の縦フレーム１４とを備えるボディ１０と、
前記一対の縦フレーム１４の下端部に結合される一対のホルダー２０と、
前記一対のホルダー２０に両端部が固定される研磨ブレード３０と、
前記一対のホルダー２０のいずれか一つの側面に結合されるハンドル４０と、を含む。
【００２８】
図２を参照すると、前記ボディ１０は横フレーム１２と縦フレーム１４とで構成される。前記横フレーム１２の両端部から前記縦フレーム１４が下方に延びて形成され、前記横フレーム１２と縦フレーム１４とは、全体的に下向きコ字状を呈する。
【００２９】
つまり、前記ボディ１０は横フレーム１２と縦フレーム１４が一体に形成され、全体的に下向きコ字状をなし 、前記縦フレーム１４の下端部に前記一対のホルダー２０が結合される。
【００３０】
さらに、前記ボディ１０には、横フレーム１２と縦フレーム１４に沿って補強部１６が形成される。前記補強部１６も全体的に下向きコ字状を呈する。
【００３１】
また、前記ボディ１０を構成する横フレーム１２と縦フレーム１４は、所定の厚みを有する金属素材の板材１から制作することが望ましく、前記補強部１６は前記ボディ１の長手方向中央に沿ってエンボス加工により形成し、前記板材１の撓りを防止することが望ましい。必要に応じて前記補強部１６は複数形成することも可能である。
【００３２】
前記ホルダー２０は、前記ボディ１０との間に研磨ブレード３０を位置させることにより、前記研磨ブレード３０を前記ボディ１０に固定する部分である。
【００３３】
さらに、前記ホルダー２０は、前記一対の縦フレーム１４の下端部から下方に向かって一体に延びて形成されることが望ましく、前記縦フレーム１４が所定の厚みを有する金属素材の板材１により制作されると、前記ホルダー２０は前記板材１と一体に形成されることができる。
【００３４】
また、前記ホルダー２０は、前記研磨ブレード３０の両側面を包むように前記研磨ブレード３０の下端部を覆って上方に向かって折曲し、前記研磨ブレード３０は前記ホルダー２０の間に圧着される。
【００３５】
つまり、前記ホルダー２０は、前記研磨ブレード３０の両側面及び下端面を覆う形で折曲するので、前記研磨ブレード３０は上面を除いた三面が前記ホルダー２０に当接することになり、三方向への離脱を防止することができる。
【００３６】
前記ホルダー２０は、前記研磨ブレード３０の離脱を防止するために研磨ブレード３０を圧着して覆う片側面または両側面に所定の深さの圧点部２２を形成でき、前記圧点部２２は点、直線、曲線または円形など、必要に応じて様々な形態に形成することができる。
【００３７】
前記ホルダー２０は、研磨ブレード３０と接着剤または溶接などの方法を利用して追加的に固定が可能であり、前記研磨ブレード３０は三方向で前記ホルダー２０によって拘束されるため、安定的な固定が可能である。
【００３８】
前記研磨ブレード３０は所定の厚みを有する金属素材のシートで、必要に応じて外面にダイヤモンド粉末がコーティングされる。
【００３９】
また、図２に示したように、前記研磨ブレード３０は歯面との摩擦によって発生する熱による変形を防止するため、複数の打孔３２が形成され得る。
【００４０】
前記研磨ブレード３０は、前記圧点部２２を挿入するための挿入溝（図示せず）または挿入孔３４を形成することもでき、この場合、ホルダー２０内部で、圧着された研磨ブレード３０の遊動を追加的に防止することができるようになる。
【００４１】
前記研磨ブレード３０の長手方向両端部には、前記ホルダー２０に圧着された状態で、長手方向への移動を防止できる段差部（図示せず）を形成することもできる。
【００４２】
前記ハンドル４０は、前記研磨ブレード３０が固定されたボディ１０を歯科用ハンドピースと連結する部分であり、前記一対のホルダー２０のいずれか一つの側面に結合される。
【００４３】
さらに、前記ハンドル４０は、歯科用ハンドピースと連結されるように様々な形状に製作が可能であり、本発明の一実施形態では金属素材の板材１を丸めて内部に歯科用ハンドピースと連結できる結合溝を有するようにした。
【００４４】
また、前記ハンドル４０は、前記ホルダー２０から側面方向に一体に延びて形成されることが望ましく、具体的にボディ１０、ホルダー２０及びハンドル４０が一つの部品として一体に形成されることが望ましい。
【００４５】
図４乃至図６に示すように、板材１からボディ１０、ホルダー２０及びハンドル４０が一体に形成された一つの部品の形態に切り取ることができ、このように切り取った部分をパンチ、折曲などの方法により加工した後、研磨ブレード３０と結合することによって、歯列矯正用ストリップを効率的に生産することができる。
【００４６】
本発明の望ましい実施形態による歯列矯正用ストリップは、以下のような効果を期待できる。
【００４７】
まず、ボディ１０に結合するホルダー２０に研磨ブレード３０が固定される構造であるため、歯列矯正治療中に歯牙研磨用ブレードがボディ１０から分離されず、特に前記ホルダー２０は三方向で前記研磨ブレード３０を覆っているので、より安定的に研磨ブレード３０を固定することができる。
【００４８】
さらに、所定の厚みを有する金属素材の板材１で制作されるボディ１０に、前記板材１の長手方向中央に沿ってエンボス加工により形成される補強部１６を備え、歯列矯正治療中にボディ１０の撓りを防止することができる。
【００４９】
また、前記研磨ブレード３０は複数の打孔３２が形成され、歯面との摩擦によって発生する熱による変形を防止することができる。
【００５０】
本発明は、歯列矯正用ストリップに関するもので、さらに詳細には歯科施術の際に歯と歯の間のスペースを確保するために、歯の所定の部位を研磨するブレードと、前記ブレードを固定するボディとを含むことにより、治療中に歯牙研磨用ブレードがボディから分離しない構造を提供することができる。
【符号の説明】
【００５１】
１    板材
１０  ボディ
１２  横フレーム
１４  縦フレーム
１６  補強部
２０  ホルダー
２２  圧点部
３０  研磨ブレード
３２  打孔
３４  挿入溝
４０  ハンドル
【図１】
2019500192.tif 000003
【図２】
2019500192.tif 000004
【図３】
2019500192.tif 000005
【図４】
2019500192.tif 000006
【図５】
2019500192.tif 000007
【図６】
2019500192.tif 000008
【国際調査報告】
2019500192.tif 000009
2019500192.tif 000010
2019500192.tif 000011
2019500192.tif 000012